Podtech/llm-jp-corpus-v4-ja_patent huggingface dataset:
(57)【要約】      （修正有）【課題】携帯機器に取り付けるコンパクトなメディアカードホルダーを設け、内部にメディアカード等の記憶媒体を取り出しやすく、また、その記憶媒体の存在が視認により簡単に確認できる携行使用に適したメディアカードホルダーを開発・提供するものである。【解決手段】クッション性を有する素材で形成された本体１に、同じくクッション性を有する素材で形成され、本体とは異なった色に着色されたカバー２を重ねて、該カバーの周囲部Ｙの一部を本体に溶着・固定し、該カバー側の周囲に、内部に収納するメディアカードＸの取り出しを容易にする欠徐部Ａと、メディアカードの存在を確認するための欠徐部Ａ１を形成し、また、本体の一部に、取付用穴３を設け、該取付用穴に、携帯機器Ｚへのストラップやバックル等の取付具４を設けたメディアカードホルダー。【選択図】図１
0003105102.tif 000002
【実用新案登録請求の範囲】
【請求項１】
クッション性を有する素材で形成された本体（１）に、同じくクッション性を有する素材で形成され、本体とは異なった色に着色されたカバー（２）を重ねて、該カバー（２）の周囲部（Ｙ）の一部を本体（１）に溶着・固定し、該カバー（２）側の周囲に、内部に収納するメディアカード（Ｘ）の取り出しを容易にする欠徐部（Ａ）と、収納物品（Ｘ）の存在を確認するための欠徐部（Ａ１）を形成し、また、本体（１）の一部に、取付用穴（３）を設け、該取付用穴に、携帯機器（Ｙ）へのストラップやバックル等の取付具（４）を設けたことを特徴とするメディアカードホルダー。
【考案の詳細な説明】
【技術分野】
【０００１】
この考案は、携行使用に適したメディアカードホルダーに関するものである。
【背景技術】
【０００２】
近年、携帯電話、携帯用のデジタルカメラ、ビデオカメラや、ＰＤＡ（Personal Digital Assistants:携帯情報端末）等の携帯機器として、半導体記憶媒体等（メディアカードと称される）の着脱可能な記憶媒体を使用する製品が知られている。
【０００３】
このような記憶媒体には、同じ規格であっても複数のサイズが存在し、記憶媒体を使用時に装着するスロットのサイズは、記憶媒体のサイズに応じて異なる。このため、あるサイズの記憶媒体に対し、他のサイズの記憶媒体用のスロットを介してデータの送受信を行う際には、それぞれの記憶媒体用のスロットのサイズに応じた端部を備えるアダプターを用いている。
【０００４】
特に、アダプターを装着せずに、小型の記憶媒体を大型の記憶媒体用のスロットに投入してしまうと、記憶媒体がスロットから取り出せなくなる等の不都合が発生する可能性があり、そのため、記憶媒体および携帯機器と共にアダプターを携行することが望まれている。
【０００５】
そこで、従来は強度を確保するために比較的硬質のプラスチック等の樹脂によってケースを形成し、該ケースにアダプターまたは記憶媒体を収納して携帯機器と共に携行していた。しかし、このケースを携帯機器と共に持ち運ぶと、ケースによって携帯機器が傷付いたり、また、硬質のプラスチックは収縮性に乏しく、アダプターまたは記憶媒体を収納して保護するには、全体を覆うケース形状となり、このためケースが大型化して携行性を損ねる結果となる。
【０００６】
そのため、収縮性および弾性を有する素材で記憶媒体を収納したり、取り出したりする物品収納ケースが存在する。（例えば、特許文献１ように）
【特許文献１】特願２００３−１００７０６号
【考案の開示】
【考案が解決しようとする課題】
【０００７】
そこで、この考案は、携帯機器に取り付けるコンパクトな物品収納ケースを設け、内部に半導体記憶媒体等の記憶媒体を取り出しやすく、また、その記憶媒体の存在が視認により簡単に確認できる携行使用に適したメディアカードホルダーを開発・提供するものである。
【課題を解決するための手段】
【０００８】
そこで、この考案は、メディアカードホルダーと、該ホルダーとは異なった色に着色したカバーとの間に、メディアカードを収納し、該メディアカードの取り出しと、確認のための欠除部をカバーの周囲に形成するものである。
【考案の効果】
【０００９】
この考案によると、メディアカードの本体とカバーとの間に、メディアカードを収納するため、安全であり、また、カバーの周囲に該メディアカードの取り出しと、確認のための欠除部をカバーの周囲に形成しているため、取り出しや存在の確認が容易に行え、極めて便利である。
【００１０】
また、この考案によると、メディアカードホルダーの本体と、異なった色に着色されたカバーとを重ねて設けるため、異なったツートンカラーのケースとなり、見た目にも綺麗であり、さらに、欠除部（Ａ１）を設けるため、該欠除部から露出したメディアカード（Ｘ）の一部の色とあいまみれ、これを携帯機器（Ｚ）に取り付けた場合、意匠的なアクセサリーとしての効果もある。
【考案を実施するための最良の形態】
【００１１】
次に、この考案の一実施例を図面に従って詳述すると、クッション性を有する素材で形成された本体（１）に、同じくクッション性を有する素材で形成され、本体とは異なった色に着色されたカバー（２）を重ねて、該カバー（２）の周囲部（Ｙ）の一部を本体（１）に溶着・固定し、該カバー（２）側の周囲に、内部に収納するメディアカード（Ｘ）の取り出しを容易にする欠徐部（Ａ）と、メディアカード（Ｘ）の存在を確認するための欠徐部（Ａ１）を形成し、また、本体（１）の一部に、取付用穴（３）を設け、該取付用穴に、携帯機器（Ｚ）へのストラップやバックル等の取付具（４）を設けたことを特徴とするメディアカードホルダーから構成される。
【００１２】
尚、本体（１）およびカバー（２）は、それぞれクッション性を有する素材であるが、その一例としては、複数層の積層体であり、例えば、ポリウレタン樹脂等のウレタン樹脂を用いるものである。
【産業上の利用可能性】
【００１３】
この考案により、灰皿本体の製造方法を確立することにより、また、その素材を利用することにより、産業上の利用可能性があるものである。
【図面の簡単な説明】
【００１４】
【図１】この考案の一実施例を示し、（Ａ）は正面図であり、（Ｂ）は断面図である。
【図２】この考案の他の実施例を示す正面図である。
【符号の説明】
【００１５】
１  本体
２  本体とは異なった色に着色されたカバー
３  取付用穴
４  取付具
Ａ  欠徐部
Ａ１  欠徐部
Ｘ  メディアカード
Ｙ  周囲部
Ｚ  携帯機器
【図１】
0003105102.tif 000003
【図２】
0003105102.tif 000004
(57)【要約】      （修正有）【課題】化学繊維のタオルを、つかいすぎて肌にシミなどができるのを防止する。【解決手段】植物から作ったヘチマは長さ、大きさ及び形をいろいろにカットして、それをアップリケをはるように長いタオル１に縫いつけたり、接着剤ではりつける。この、ヘチマつきタオルで体を洗ったところ、石けんの泡立ちもよく、植物で出来ているため、皮膚に悪影響を与えることが少なく、洗いにくい背中も洗える。【選択図】図１
0003105181.tif 000002
【実用新案登録請求の範囲】
【請求項１】
ヘチマをカットして形をきめてタオルに縫いつける。
【請求項２】
ヘチマをカットして形をきめてタオルに接着剤で貼り付ける。
【請求項３】
カットしたヘチマをタオルの片面、又は両面につける。
【考案の詳細な説明】
【考案の詳細な説明】
【考案が解決しようとする課題】
【０００１】  体を洗う化学繊維のタオルがあるが、つかいすぎると肌に強すぎてシミなどできる問題点がある。
【課題を解決するための手段】
【０００２】  ヘチマだけでは長さも限られているから、タオルにつけた。
【考案の効果】
【０００３】  ヘチマつきタオルで体を洗ったところ、石けんの泡立ちもよく、植物で出来ているため、皮膚に悪影響を与えることが少なく、洗いにくい背中も洗える。
【図面の簡単な説明】
【図１】カットしたヘチマをつけたタオルの表図である。
【図２】カットしたヘチマをつけたタオルの裏図である。
【符号の説明】
１  タオル
２  ヘチマ
【図１】
0003105181.tif 000003
【図２】
0003105181.tif 000004
【手続補正書】
【提出日】平成16年6月9日(2004.6.9)
【手続補正１】
【補正対象書類名】実用新案登録請求の範囲
【補正対象項目名】全文
【補正方法】変更
【補正の内容】
【実用新案登録請求の範囲】
【請求項１】
ヘチマをカットして、形をきめて縫い付けたタオル。
【請求項２】
ヘチマをカットして、形を決めて接着剤で貼り付けたタオル。
【請求項３】
カットしたヘチマを、片面または両面に付けたタオル。
(57)【要約】      （修正有）【課題】仏器膳（或いは天目台）本来のデザインを崩すことなく水入の蓋を保持することで、蓋の落下や傷の発生を防止し、安定し、容易に脱着自在に保持できること。【解決手段】本考案は仏器膳３に蓋２が差込める溝４を設け、蓋２が溝３の両壁面に架かることで安定した状態で保持され、且つ、蓋より溝幅が大きいことにより、容易に脱着させることで解決している。【選択図】図３
0003105185.tif 000002
【実用新案登録請求の範囲】
【請求項１】
水入（或いは仏茶器）が置かれる仏器膳（或いは天目台）において、当該水入に配される蓋の端面が差込める幅を持った溝を設け、当該蓋が溝の両壁面に架かることにより、自立した状態で蓋を保持できるようにした仏器膳。
【考案の詳細な説明】
【技術分野】
【０００１】  本考案は、仏前に供する水入の蓋を開けた際、安全、且つ容易に保持させ、落下を防止するものである。
【背景技術】
【０００２】  従来、お水を仏前に供する際、水入（或いは仏茶器）と称される仏器を用い、その蓋を開けて水入の上下に分れた間に差込んだり、仏器膳（或いは天目台）にそのまま置かれていが、仏器膳を傷つけたり、落下して仏壇を傷つけたりしていた。
【考案の開示】
【考案が解決しようする課題】
【０００３】  背景技術に示したように、従来、水入の蓋は決まった置き場所が無く、不安定な場所に保持されていたり、高価な仏具や仏壇の上に置かれ、落下や当て傷の原因になっていた。
【課題を解決するための手段】
【０００４】  水入が置かれる仏器膳において、当該水入れ蓋を保持できる溝を設け、或いは溝を形成する部材を取付けることにより、そこに差込むことで蓋を安定させ、問題点を解決している。
【考案の効果】
【０００５】  前述のように水入の蓋を安定した状態で定位置に、ほぼ立った状態で差込み保持させることにより、持ちやすく、且つ蓋の落下や当て傷の防止となる。
【考案を実施するための最良の形態】
【０００６】  指で水入の蓋のツマミを摘まみ。仏器膳上部に設けられた、蓋の端面より大きい幅の溝に蓋の下端を差込み、溝の両壁面に蓋下端が架かり、やや寝かせた状態で蓋が保持されるようにすることで、容易に係脱することができる。
【実施例】
【０００７】  以下、本考案の実施例を図１から図３を参照して説明する。図１は、夕にお水を下げてから、明朝、お水を供するまでの間、水入の蓋が閉じられて仏器膳に置かれた状態を示している。【０００８】  図２は、朝、お水を供するために蓋を開け、仏器膳に設けられた溝に蓋が差込まれた状態を示している。【０００９】  更に、図３では蓋が溝に差込まれた状態を断面図で示し、蓋が安定して保持され、且つ、容易に取り外せることを示している。
【図面の簡単な説明】
【００１０】
【図１】水入が仏器膳に置かれた状態示した正面図。
【図２】蓋が溝に保持された状態を示した正面図。
【図３】蓋が当該溝に差込まれた状態の断面図。
【００１１】１  水入
２  蓋
３  仏器膳
４  溝
【図１】
0003105185.tif 000003
【図２】
0003105185.tif 000004
【図３】
0003105185.tif 000005
【手続補正書】
【提出日】平成16年5月31日(2004.5.31)
【手続補正１】
【補正対象書類名】実用新案登録請求の範囲
【補正対象項目名】請求項１
【補正方法】変更
【補正の内容】
【請求項１】
水入が置かれる仏器膳において、当該水入に配される蓋の端面が差込める幅を持った溝を設け、当該蓋が溝の両壁面に架かることにより、自立した状態で蓋を保持できるようにした仏器膳。
(57)【要約】【課題】本考案は空巣対策として、最近多発しているベランダや庭からの侵入に備えるために人工芝を利用し、空巣を未然に防ぐ。【解決手段】本考案は人工芝に防犯アラームを埋込み、ベランダや庭に設置し、侵入者がガラス戸に近づく前に人工芝を踏込むためアラームが反応し、侵入者を撃退させると同時にガラス戸の破損も防ぐ事が出来る。またベランダや庭には、装飾としても人工芝は良くマッチし外観からは防犯グッズとは見られない事も役立つ。【選択図】図２
0003105183.tif 000002
【実用新案登録請求の範囲】
【請求項１】
人工芝の裏側に防犯アラーム（振動を加えると警告音が鳴る）を埋込み、ガラス戸に面したベランダ、庭に固定し、侵入者がその人工芝を踏付けるとアラームが作動して、大きな警告音を発し、侵入者を撃退する装置。
【考案の詳細な説明】
【技術分野】
【０００１】本考案は人工芝と防犯アラームを組合わせ、屋外にセットする防犯装置である。
【背景技術】
【０００２】  防犯アラームの主流は室内の玄関ドアや、ベランダ、庭、に面したガラス戸に取付けている。
【考案の開示】
【考案が解決しようとす課題】
【０００３】これまでの防犯アラームのほとんどは、外部から見えやすいガラス戸に取付けているため、侵入者に見つかりやすく、別の侵入方法を取られる危険性がありまた強風や自動車等の振動で、アラームが誤動する可能性が生ずる。
【課題を解決するための手段】
【０００４】本考案は、マンションのベランダや一戸建の庭に馴染む既製の人工芝を使用する事により、防犯アラームを自然体のまま違和感なく隠す事が出来、また人工芝を固定する事により、アラームの誤動も防げる。
【考案の効果】
【０００５】前述の様に、本考案は人工芝と防犯アラームを組合わせ屋外にセットするため意外性があり、侵入者の注意をそらすと同時に不意の警告音により、侵入を未然に防ぐ効果がある。
その上、屋外に設置しているためガラス戸などの破損も防ぐことも可能である。素材事体も既製品を使用するため原価も安く、手軽に購入できる。
【考案の実施するための最良の形態】
【０００６】人工芝（長さ１．８ｍ×幅１ｍ×高さ１ｃｍ）の裏面に防水された超薄型のアラーム（長さ１０ｃｍ×幅４ｃｍ×高さ１ｃｍ）を、電流オンの状態で２個以上埋込み、ベランダ、庭、に面したガラス戸の鍵付近に設置する。
尚この装置は、侵入者により振動が加わると、２０秒間警告音が発っせられる。
【実施例】
【０００７】以下添付図面に従って一実施例を説明する。１は全天候型の人工芝本体の表面。競技場等で使用される素材をカットしたもの。【０００８】２は前記本体の裏面。３は本体固定用の両面テープ。４、５はアラームを埋込むための２つの溝。【０００９】６は埋込み用のアラーム本体。７はその電流スイッチ。
【図面の簡単な説明】
【００１０】
【図１】本考案の空巣対応の防犯アラーム付人工芝の表面全体図である。
【図２】上記裏面の全体図である。
【図３】埋込み用アラームの全体図である。
【図４】本考案の断面図である。
【符号の説明】
【００１１】１人工芝本体（表）
２人工芝本体（裏）
３両面テープ
４溝ａ
５溝ｂ
６アラーム
７アラームスイッチ
８人工芝
９ラバーマット
１０アラーム
【図１】
0003105183.tif 000003
【図２】
0003105183.tif 000004
【図３】
0003105183.tif 000005
【図４】
0003105183.tif 000006
【手続補正書】
【提出日】平成16年6月22日(2004.6.22)
【手続補正１】
【補正対象書類名】実用新案登録請求の範囲
【補正対象項目名】全文
【補正方法】変更
【補正の内容】
【実用新案登録請求の範囲】
【請求項１】
人工芝の裏側に振動を加えると警告音が鳴る防犯アラームを埋込み、ガラス戸に面したベランダ、庭に固定し、侵入者がその人工芝を踏付けるとアラームが作動して、大きな警告音を発し、侵入者を撃退する装置。
(57)【要約】      （修正有）【課題】壱円硬貨の平面式コイン収納容器を提供する。【解決手段】平面式の容器に、数え易く仕切を入れた。【選択図】図１
0003105149.tif 000002
【実用新案登録請求の範囲】
【請求項１】
数え易く仕切を入れた、硬貨の貯蓄保管目的の平面式容器。（平面式仕切型容器）
【考案の詳細な説明】
【技術分野】
【０００１】  ○○銀行等と行名入りにして、金融機関の預金獲得競争等の為の景品としても利用できます。
【背景技術】
【０００２】  従来のコイン収納容器は円筒形で平面式容器はなかった。
【考案の開示】
【考案が解決しようとする課題】
【０００３】  消費税の為、釣り銭はバラでポケットへ又は小銭入れに入れる。
しかし、買い物の際の支払には、混雑回避の為、小銭は殆んど用いない。
その為小銭が貯り、結果として主に壱円硬貨の紛失が多い。
【課題を解決するための手段】
【０００４】  数え易く仕切を入れた、壱円硬貨が百個入る平面式容器。
【考案の効果】
【０００５】  このことにより、早く百個入れて満杯にしようとする。その結果、壱円硬貨の紛失を防止する。
【実施例】
【０００６】  図面の場合は、預金通帳と同じ大きさにする為、仕切の高さは壱円硬貨五枚分の厚みの高さで、横４コマ・従５コマの２０コマにした。（図１）
蓋の形式は図面の引出式の他に、チョウズガイ（見開き）方式や、容器の両端に溝をつけたスライド式等が考えられます。
更に、ケースの上の空間は印鑑入れにも使用・改良が可能です。
同様にカバー又はケースの背面に同型のポケットを作り、通帳入れにすることも可能です。
以上、蓋の方式やこれ等の細部については、個数によりスポンサーの要望に従っても良いでしょう。
【図面の簡単な説明】
【０００７】
【図１】差込ケースの平面図（実物大）
【図２】差込ケースの傾視図
【図３】カバーの傾視図
【図１】
0003105149.tif 000003
【図２】
0003105149.tif 000004
【図３】
0003105149.tif 000005
(57)【要約】      （修正有）【課題】箸が和服を着たように見え、かつ本来の目的を充分に満たし、加工もシンプルにして、使う人を楽しくさせるオブジェとしての機能を発揮する箸袋を提供する。【解決手段】半襟と襟合わせにするための切り込みを入れ、肩辺りは斜め切りに処理して、和服を着ている感じを表すポイントとして帯を結び、紙人形をイメージさせる意匠に合った帯の巾や位置を決め、結び目が美しく見えるよう素材は布地や紐、こよりにして表現をリアルに食卓の華としての機能を持たせた。【選択図】図２
0003105146.tif 000002
【実用新案登録請求の範囲】
【請求項１】
半襟と襟を区別するために、襟合わせの部分に切り込みを入れ、差し込んで重ね合わせ上部両端を斜めに切り落として肩に見立て、胴は折り返した裾と合わせ布帯又は紐やこよりで結び、箸が和服を着ている風情を感じさせるところを特徴とする和装箸袋。
【考案の詳細な説明】
【技術分野】
【０００１】  本考案は箸袋に関するもので、箸袋自体がオブジェとして機能する品物に係わるものである。
【背景技術】
【０００２】  箸を包む袋としてのみ用いられる一般製袋加工による物であり、一方工夫を凝らせた物は加工が複雑で、箸袋本来の機能性に鈍く、コストの面からも容易でない。
【考案の開示】
【考案が解決しようとする課題】
【０００３】  本考案は箸本体と同様に、箸袋にも機能を持たせ使う人に風情を楽しませることの出来るオブジェとして、提供するものである。
【課題を解決するための手段】
【０００４】  本考案は上記の目的を満たすために、箸を紙衣と帯で装い箸袋に機能を持たせることにした。半襟と襟は彩色を施すことによって識別させ、襟元の合わせがしっかり重なるように切り込みを入れ、肩の雰囲気を出すために両端を斜め切りにし、全体のポイントとなる帯結びは、巾のある布地か又は紐を幾重かに巻き、用途にあわせた結び方を演出し、箸袋自体がオブジェとしての機能を持てるようにしたのである。
【考案の効果】
【０００５】  本考案は箸袋本来の目的を充分に満たし、尚かつオブジェとしての付加価値を備え、食卓の華として箸袋を手にした人が帯の結びは、半襟の色は等と各々自分のイメージを言い合い、楽しい団欒を演出させる小道具として最適な和装箸袋である。
【考案を実施するための最良の形態】
【０００６】  厚みのある和紙に襟の切り込みをして、肩の部分を斜めに切り落とし、半襟と襟が識別出来るように彩色を施し、襟元がきれいに合わさるように切り込み部分を差し込み重ねた箸袋を形成する。裾折りが戻らないように帯で結び、箸を挿入すれば箸に衣を着せた効果が表れた和装の箸袋になる。
【実施例】
【０００７】  本考案を添付図面に従って実施例を説明する。図１に示したように、切り込み（１）、斜め切り（２）した箸袋本体の平板を先ず左の内折り線を内に折り、次に右の内折り線を内に折り、そして裾（７）の外折り線を外に折り箸袋に形成する。【０００８】  半襟の襟合わせは、左半襟の切り込みを下にして、右半襟の  切り込みを差し込んで、しっかりと重ね合わせる。【０００９】  帯（３）又は紐（１０）で図４に示すように、折り返した裾の部分と胴を合わせ図３のように結び、裾と胴とが離れないようにする。【００１０】  箸（９）を挿入口（１１）から入れて、ランチョンマット、盆もしくはテーブルに直に置き、食事中は器の脇に縦にして置くと箸袋は箸衣になり、和装紙人形の風情になって食卓を楽しませることができ、色彩や図柄は用途に合わせ披露宴席、法事会席、料亭会席等に描き分ければ最適である。【００１１】  本考案は使う人の目を、心を和ませる意匠を創ることによって、オブジェとしての付加価値が高まり、より一層の華となって食卓を彩り、機能を発揮する優れた箸袋である。
【図面の簡単な説明】
【００１２】
【図１】本考案箸袋の実施例の型抜き全体図である。
【図２】図１の実施例の正面図
【図３】図１の実施例の背面図
【図４】図１の実施例の側面図
【図５】図１の実施例の帯と紐の正面図
【符号の説明】
【００１３】  １  襟の切り込み
２  肩の斜め切り
３  帯
４  半襟
５  襟
６  おはしょり
７  裾
８  箸袋本体
９  箸
１０  紐
１１  箸挿入口
【図１】
0003105146.tif 000003
【図２】
0003105146.tif 000004
【図３】
0003105146.tif 000005
【図４】
0003105146.tif 000006
【図５】
0003105146.tif 000007
(57)【要約】【課題】  手袋を装着するときは手袋に手を入れやすく、手袋を装着しているときはずれにくい手袋を提供することと手袋のサイズ表示部が見えなくなっても手袋サイズを確認できることを課題とする。【解決手段】  手袋本体の手首にマジックテープの付いたゴムバンドを設け、サイズによってゴムバンドの色を変えた事を特徴とする作業用手袋である。【選択図】  図１
0003105145.tif 000002
【実用新案登録請求の範囲】
【請求項１】
指部を含む掌側に滑り止め加工が施してある手袋本体の手首部分にマジックテープの付いたのゴムバンドを設け、手袋をはめやすく抜けにくい事を特徴とする作業用手袋。
【請求項２】
前記ゴムバンドの色をサイズによって変えることを特徴とする請求項１記載の作業用手袋。
【考案の詳細な説明】
【技術分野】
【０００１】  この考案は、段ボール等の荷物を運搬するときに用いる手袋編み機で編み立てした手袋の指部を含む掌側に滑り止め加工が施してある作業用手袋の形状に関する。
【背景技術】
【０００２】  従来の荷物を運搬するときに用いられる作業用手袋は、図２に示すように手首側にゴム編み部７を有する手袋本体１の指を含む掌側に滑り止め加工２が施してある。
【考案の開示】
【考案が解決しようとする課題】
【０００３】  このような滑り止め加工を施した作業用手袋は段ボール等の荷物の運搬に使用されることが多い。この作業において手袋が手からずれやすいと荷物を保持するための力以外に手袋がずれないようにする無駄な力が必要になる。特に重量物を扱う作業において、この傾向は顕著であり効率が悪く疲れやすい。この手袋がずれる原因は手袋本体の手首部分がゴム編みになっているためゴム編み部分の伸縮により手袋が手からずれてしまう。この手袋のずれは手袋本体の手首部分のゴム編みをきつくすることにより軽減できる。しかしそのようにすると逆に手袋をはめるとき、手袋の手首部分がきつくなりはめにくくなってしまう。また手の大きさには個人差があり手首がゴム編みになっていてはゴム編部の幅の調整は出来るが個々の手に合わせた調節ができない。そこでこの考案は、手袋を装着するときは手袋に手を入れやすく、手袋を装着しているときはずれにくい手袋を提供することと手袋に付いた汚れや洗濯によってサイズ表示部が薄れてしまってもサイズの確認ができることを課題とする。
【課題を解決するための手段】
【０００４】  以上の課題を解決するために第一考案は、指部を含む掌側に滑り止め加工が施してある手袋本体にマジックテープの付いたゴムバンドを設けた事を特徴とする作業用手袋である。
また第二考案は、ゴムバンドの色をサイズによって変えることを特徴とする作業用手袋である。
【考案の効果】
【０００５】  第一考案によれば、手首部のマジックテープの付いたゴムバンドで個々の手の大きさに合わせてしめることができ手袋のずれを防ぐことができる。
第二考案によれば、汚れて表面のサイズ表示部が見えなくなってしまった場合や洗濯により表面のサイズ表示部が薄れて肉眼で確認できなくなってもゴムバンドの色により手袋のサイズが確認できるようになる。
【考案を実施するための最良の形態】
【０００６】  この考案の一実施形態を図１に示す。手袋本体１は糸により編まれた手袋であり、指部を含む掌側に滑り止め加工２が施してある。手首部分にはスリット５とマジックテープ４の付いたゴムバンド３が設けられている。またゴムバンド３はサイズによって色を変える。【０００７】「実施形態の効果」
この実施形態によれば、手首部分にはマジックテープの付いたゴムバンドが設けられ手袋本体の手首部分横にはスリットが入っている。マジックテープを開放すれば手首部分はスリットによりさらに大きく開き手袋の脱着が容易になる。また手袋を装着後、装着者の手の大きさに合わせてマジックテープで止めることにより手袋をずれから防ぐ事が可能になる。長時間使用してゴムバンドの張力等が弱くなってもマジックテープを止める位置を変えることで容易に調整可能である。またゴムバンドにサイズによって違う色を使用する事によりサイズ表示部が汚れた場合や洗濯により表面のサイズ表示部が薄れて肉眼で確認できなくなっても手袋のサイズ確認が可能になる。
【図面の簡単な説明】
【０００８】
【図１】  この考案の実施形態を示す手の甲側の斜視図
【図２】  従来技術を示す斜視図
【符号の説明】
【０００９】  １  手袋本体              ２  滑り止め加工部      ３  ゴムバンド
４  マジックテープ        ５  スリット            ６  サイズ表示部
７  ゴム編み部
【図１】
0003105145.tif 000003
【図２】
0003105145.tif 000004
(57)【要約】「課題」  本考案は、ブラシ本体に足ゆび専用の細型ブラシとその柄を棒状にして先端を親指型に整形し、いぼ状突起を設け足全体を清潔に保ち血行を良くする。「解決手段」本考案は、ブラシ本体１に足ゆび専用の細型ブラシ２を設けることで足全体を自在に洗い易くするようにし、棒状の柄３の先端を親指型に整形し、いぼ状突起を設ける。これでつぼ押しすることで、同時に指圧効果も得られる。これを日常的に複数回使用することで足全体を清潔に保ち、足に発生しやすい細菌類の増殖を防止し、足に関する人間の疲労を緩和し、健康増進に役立つ。「選択図」「図１」【実用新案登録請求の範囲】
【請求項１】
足ゆび間を洗浄する細型ブラシの下に、足の土踏まずにフィットしやすい丘状にカットしたブラシ毛を植えた柄付きの丸形ブラシが付いていることで、足全体を一気に洗い易くした。同時にブラシ柄は、握りやすい棒状とし、柄の先に親指型の整形を施し、その先端には複数のいぼ状突起をつけることで、身体を深くかがませなくてもその柄を使用することで足裏つぼ押しも的確にできるようにした、総合的に足をケアする用途複合型のブラシ。
【考案の詳細な説明】
【考案の詳細な説明】
【０００１】  「考案の属する技術的分野」  本考案は、本体ブラシに加え、足ゆび専用のブラシを付け、併せて、足つぼ押し用として棒状のブラシ柄の先に親指型いぼ状突起付き整形を施した、ボディブラシに関する健康器具である。
【０００２】  「従来の技術」  足先である足ゆび間については、形状が入り組んでいることに加え手が届きにくく、洗浄するのに身体を深くかがめてナイロンボディタオル等を指に巻き付ける等して洗浄していた。また、足裏つぼ押しマッサージについては、適宜のマッサージ器具または経済的負担の上マッサージ師等により行い、洗浄とマッサージはそれぞれ別個の足のケアとして行っていたもの。
【０００３】  「考案が解決しようとする課題」  手と同様に汚れやすい足の裏について、的確に気持ちよく足の裏を一気に洗浄でき、かつ足つぼ押しが同時にできることにより、日常的に複数回手軽に足をケアし易くすることで、足の裏に発生する細菌類の増殖を押さえ、血行をよくし癒すことで人間の健康に寄与するものである。
【０００４】  「課題を解決するための手段」  本考案は、丘状にカットした丸い小型のボディブラシ本体に足ゆび専用の細型ブラシを付けること及びその柄の先にマッサージ用に整形を施し、全体を木製あるいはプラスチックス等適宜素材にて一体化された一個の器具とすることである。
【０００５】  「考案実施の形態」  ブラシ本体の柄を持ち、ボディソープあるいは除菌石けんを付け、足の土踏まずを円状に擦り洗ううちに泡立ち、その泡立ちから足ゆび専用の細型ブラシにより、足ゆび間を順次洗浄することができる。かかと等を含め足全体を洗浄後、ブラシを足に当てながら足とブラシを流し湯ですすぎ、足つぼを柄の先で押す等して利用可能。
【０００６】  「実施例」  以下、添付図面に従って一実施例を説明する。１は、耐久性のプラスチックス等適宜素材にて一体化されたブラシ本体、２は、足ゆび間を洗浄するためのブラシ部分で、この足ゆびの洗浄ブラシを付けることで順次足ゆび間を的確に自在に洗うことができる。３は、本体の柄に親指形状のいぼ付き突起の整形を施したマッサージ用つぼ押し部分で疲労部分のつぼにあてるなどし押し、マッサージする。
【０００７】 「考案の効果」  上述のように、本考案の足ゆび洗い付きマッサージブラシは、ブラシ本体で、足の裏を洗うことは勿論、足ゆび専用のブラシを設けたので、足ゆびを自在に洗うことができ、しかも、本体の柄は疲労部分等を押し易くすることにより、汚れやすい足の裏を日常的に容易に複数回洗浄及び指圧マッサージすることができ、清潔を保ち、細菌類の増殖を防止することにより、湿疹、水虫等の皮膚疾患を予防し、また血行を良くする等で癒し、人間の健康増進に役立つ。
【図面の簡単な説明】
【０００８】  「図１」 本考案の足ゆび洗い付きマッサージブラシの一実施例を示す正面図である。  「図２」  本ブラシの側面図である。  「符号の説明」  １ブラシ本体  ２足ゆび洗浄ブラシ  ３突起付きマッサージ棒
【図１】
0003105176.tif 000002
【図２】
0003105176.tif 000003
【手続補正書】
【提出日】平成16年6月20日(2004.6.20)
【手続補正１】
【補正対象書類名】実用新案登録請求の範囲
【補正対象項目名】全文
【補正方法】変更
【補正の内容】
【実用新案登録請求の範囲】
【請求項１】
（１）足ゆび間を洗浄する細型ブラシ。（２）足の土踏まずにフィットしやすい丘状にカットしたブラシ毛を植えた丸形ブラシ。（３）先端に親指型の整形を施し、そこに複数のいぼ状突起を付けた棒状のブラシ柄。以上からなるブラシ。
【手続補正２】
【補正対象書類名】明細書
【補正対象項目名】０００８
【補正方法】変更
【補正の内容】
【０００８】【図１】  本考案の足ゆび洗い付きマッサージブラシの一実施例を示す正面図である。以下、添付図面に従って一実施例を説明する。耐久性のプラスチックス等適宜素材にて一体化されたブラシ本体に、足ゆび間を洗浄するためのブラシを付けることで自在に足の裏から足ゆび間にいたるまで全て洗うことができ、同時に柄に突起の整形をした部分でつぼ押しマッサージができる。  汚れやすい足の裏を日常的に容易に複数回洗浄及び指圧マッサージすることができ、清潔を保ち、細菌類の増殖を防止することにより、湿疹、水虫等の皮膚疾患を予防し、臭いの原因を押さえ、また血行を良くする等人間の健康増進に役立つ。【符号の説明】  １は、ブラシ本体。耐久性のプラスチックス等適宜素材にて一体化されたもの。２は、足ゆび洗浄ブラシ。足ゆび間を洗浄するためのブラシ部分で、これにより、順次足ゆび間を的確に自在に洗うことができる。３は、突起付きマッサージ棒。ブラシ本体の柄先に親指形状のいぼ付き突起の整形を施したもの。これを疲労部分のつぼに押しあてるなどしてマッサージする。【図２】  本考案の足ゆび洗い付きマッサージブラシの一実施例を示す側面図である。以下説明は、「図１」に同じ。【符号の説明】  図１の「符号の説明」に同じ。
(57)【要約】【課題】  従来から使用されているコンセント、は長い間に埃が蓄積されてコンセントの発熱により火災の原因にもなっている。【解決手段】  コンセントに溝を付けカバーが取り付けられるようにしたもの。【選択図】図２
0003105178.tif 000002
【実用新案登録請求の範囲】
【請求項１】
コンセントにカバーを取り付けられる、溝を付けたものや、カバーを取り付けられる構造をしたコンセント。
【請求項２】
コンセントーに被せる目的としたカバー。
【考案の詳細な説明】
【技術分野】
【０００１】  コンセントに溝を付けてカバーを取り付けられるようにしたものである。
【背景技術】
【０００２】  コンセントにプラグを差し込んで使用するが、長く使うと埃がつもる。
【考案の開示】
【考案が解決しようとする課題】
【０００３】  コンセントにプラグを差し込んで使用するが、長く使用していると埃が貯まり発熱発火し火災の、原因になっている。
【課題を解決するための手段】
【０００４】  コンセント、プラグに埃が付かないようにカバーをする。
【考案の効果】
【０００５】  プラグに埃が、付かなくなり発熱火災の要素がなくなる。
【考案を実施するための最良の形態】
【０００６】  コンセントにカバーが取り付けられるようように、溝を付けたコンセント。
【図面の簡単な説明】
【０００７】
【図１】  本考案の斜視図である。
【図２】  本考案の断面図である。
【符号の説明】
【０００８】  （１）溝を付けたコンセント          （２）カバー
【図１】
0003105178.tif 000003
【図２】
0003105178.tif 000004
【手続補正書】
【提出日】平成16年7月7日(2004.7.7)
【手続補正１】
【補正対象書類名】実用新案登録請求の範囲
【補正対象項目名】全文
【補正方法】変更
【補正の内容】
【実用新案登録請求の範囲】
【請求項１】
コンセント（１）の外周に設けた溝（３）に内面の周縁辺２１をはめ込んで箱形のカバー（２）を取り付けられるようにしたことを特徴とするコンセントとカバーの組み合わせ構造。
【手続補正２】
【補正対象書類名】明細書
【補正対象項目名】全文
【補正方法】変更
【補正の内容】
【考案の詳細な説明】
【技術分野】
【０００１】
本考案は、コンセントの外周に溝を付けてカバーを取り付けられるようにしたものである。
【背景技術】
【０００２】
一般にコンセントにプラグを差し込んで使用するが、長い期間使うと埃がつもる。
【特許文献１】特開平１１−１８５８６１号公開公報
【特許文献２】実用新案登録第３０３６１２４号公報
【考案の開示】
【考案が解決しようとする課題】
【０００３】
コンセントにプラグを差し込んで使用するが、従来から使用されているコンセントは、露出したままであるから、長い期間使用していると埃が貯まり発熱発火して火災の原因になっている。
【課題を解決するための手段】
【０００４】
本考案はコンセントとカバーの組み合わせ構造において、コンセントの外周に設けた溝に内面の周縁辺を上方からはめ込んで箱形のカバーを取り付けられるようにしたものである。
【考案の効果】
【０００５】
本考案は上記の構成であるから、コンセント１及びこれに差し込むプラグ４に埃が付かなくなり、発熱火災の要素がなくなる。
【考案を実施するための最良の形態】
【０００６】
本考案は、図１及び図２に示すようにコンセント１の外周に設けた溝３に箱形のカバー２の内面を略門型に成形した周縁辺２１を上方から下方に向かってはめ込んで脱着自在に取り付けられるようにした構造になっている。
【図面の簡単な説明】
【０００７】
【図１】本考案に係るコンセントカバーの斜視図である。
【図２】本考案に係るコンセントカバーの装着状態を示す縦断面図である。
【符号の説明】
【０００８】
１……溝を付けたコンセント
２……コンセントのカバー
３……コンセントの外周に付けた溝
４……プラグ
【手続補正３】
【補正対象書類名】図面
【補正対象項目名】全図
【補正方法】変更
【補正の内容】
【図１】
0003105178.tif 000005
【図２】
0003105178.tif 000006
(57)【要約】      （修正有）【課題】市販されているガスコンロを卓上等で使用する場合、上にかけている鍋等が倒れる危険があり、なお、ガスコンロの燃焼による熱が周囲にいる人の顔にあたり不快感をあたえ、また、熱により周囲に置いてある追加用食材の鮮度を落とすことから、この倒れ防止とコンロの熱を遮断する卓上ガスコンロ用安全ケースを提供する。【解決手段】卓上ガスコンロ用安全ケースの構造は、底付きの木製または耐熱用ボードの箱で、側面に、コンロつまみ操作用と、ガスホース引き込み用と、通気用の四角形の穴を開けたものである。収納時、場所をとらないために、折りたたみが可能な構造とした。ガスコンロを使用する時、そのガスコンロを、卓上ガスコンロ用安全ケースの中に入れて使用する。【選択図】図１
0003105174.tif 000002
【実用新案登録請求の範囲】
【請求項１】
市販されているガスコンロにかけた鍋等の倒れ防止の構造と、周囲に広がるガスコンロの熱を遮断する構造を持たせるため、ガスコンロを使用する時に、そのガスコンロを中に入れる卓上ガスコンロ用安全ケース。
【請求項２】
底面と側面の部分を折りたたみ方式とした構造を持つ卓上ガスコンロ用安全ケース。
【考案の詳細な説明】
【技術分野】
【０００１】  本考案は、ガスコンロを安全に使用するための家庭用機器に関するものである。
【背景技術】
【０００２】  家庭で鍋料理を楽しんでいる時、ガスコンロ上に置いた鍋が倒れると、周囲にいる人が危険であり、また食事をしている時、ガスの燃焼にともなう熱が周囲の者の顔にあたり不快感があり、また、熱がコンロの周囲に置いている飲料（ビール等）、追加用食材の鮮度を落とす等の問題があるが、本考案の卓上ガスコンロ用安全ケースは倒れ防止と、熱遮断の両面に有効である。
本考案の卓上ガスコンロ用安全ケースの構造は、底付きの木製または耐熱用ボードの箱で、側面に、コンロつまみ操作用と、ガスホース引き込み用と、通気用の四角形の穴を開けたものである。
収納時、場所をとらないために、折りたたみが可能な構造とした。
【考案の開示】
【考案が解決しようとする課題】
【０００３】  一般的にガスコンロを卓上に露出したまま置き、鍋等を乗せ使用しているため、倒れて周囲の人がやけど等をする危険がある。【０００４】  鍋を囲んで飲食する時、コンロの熱が周囲に広がり人の顔にあたる、飲料（ビール等）があたたまる、周囲に置いている鍋料理の追加用食材の鮮度が落ちる。【０００５】  単なる箱型の安全ケースでは、使用しない時収納に場所をとり、邪魔になる。
【課題を解決するための手段】
【０００６】  底付きの木製又は耐熱用ボードの箱にガスコンロを入れて使用するもので、鍋が倒れかけても、本考案の卓上ガスコンロ用安全ケースの側面に防御され、倒れないのが最も主要な特徴である。【０００７】  本考案の卓上ガスコンロ安全ケースは使用しない時、折りたためる構造とした。
【考案の効果】
【０００８】  本考案は、次に記載する効果がある。【０００９】  本考案の卓上ガスコンロ用安全ケースを使用することにより、ガスコンロにかけている鍋等が倒れかけても安全ケースにより防御され、安全である。【００１０】  本考案の卓上ガスコンロ用安全ケースを使用することにより、箱の側面が熱を遮断し、周囲にいる人の顔にも熱はあたらず、飲料、追加用食材にも熱があたらず、飲料の温度は変わらず、食材の鮮度を保つことが出来、鍋を囲んで快適な飲食が出来る。【００１１】  折りたたむことにより体積が縮小する。
【図面の簡単な説明】
【００１２】
【図１】立面図、正面、四角形の穴はコンロつまみ操作用と通気用窓口である。
【図２】立面図、左側面、四角形の２つの穴は通気用である。
【図３】平面図である。
【図４】立面図、折りたたんだ図である。
【図５】平面図、折りたたんだ図である。
【図６】全体写真、斜め上方よりのものである。
【図７】正面写真である。
【図８】左側面写真である。
【図９】コンロ設置時の写真、上方よりのものである。
【図１０】鍋を置いた写真、上方よりのものである。
【図１１】鍋を置いた写真、正面よりのものである。
【図１２】鍋を置いた写真、正面上方よのものである。
【図１３】収納用に折りたたんだ写真、正面上方よりのものである。
【図１４】収納用に折りたたんだ写真、正面よりのものでる。
【符号の説明】
【００１３】１  マルボーラッチ
２  蝶番
３  あおり止め
４  四角形の穴
【図１】
0003105174.tif 000003
【図２】
0003105174.tif 000004
【図３】
0003105174.tif 000005
【図４】
0003105174.tif 000006
【図５】
0003105174.tif 000007
【図６】
0003105174.tif 000008
【図７】
0003105174.tif 000009
【図８】
0003105174.tif 000010
【図９】
0003105174.tif 000011
【図１０】
0003105174.tif 000012
【図１１】
0003105174.tif 000013
【図１２】
0003105174.tif 000014
【図１３】
0003105174.tif 000015
【図１４】
0003105174.tif 000016
【手続補正書】
【提出日】平成16年5月19日(2004.5.19)
【手続補正１】
【補正対象書類名】実用新案登録請求の範囲
【補正対象項目名】請求項２
【補正方法】変更
【補正の内容】
【請求項２】
底面と側面の部分を折りたたみ方式とした構造を持つことを特徴とする請求項１記載の卓上ガスコンロ用安全ケース。
(57)【要約】      （修正有）【課題】通常時はゴムひもを小袋に収納しハンカチとして使用し、災害時は小袋からゴムひもをとりだし耳にかけ、両手をあけて避難できるようにする。【解決手段】ハンカチにゴムひもを２本つける。【選択図】図３
0003105179.tif 000002
【実用新案登録請求の範囲】
【請求項１】
ハンカチにゴムひもをつけ、通常は小袋にゴムをしまっておき、緊急時はゴムひもをとりだしマスクの代用となる。
【考案の詳細な説明】
【考案の開示】
【考案が解決しようとする課題】
【０００１】災害時はハンカチがマスクの代用となり、両手をあけて避難する事が可能となる。
【課題を解決するための手段】
【０００２】ハンカチを耳にかけられるよう、ゴムを２本つける。
【考案の効果】
【０００３】ゴムひもを耳にかける事でハンカチで口をおさえておく必要がなくなる。
【図面の簡単な説明】
【０００４】
【図１】  広げた図。ゴムひも収納時
【図２】  広げた図。ゴムひもとりだし図。
【図３】  折り畳み図。
【図４】  マスク使用時の図。
【符号の説明】
【０００５】  １．小袋
２．ゴムひも
３．布地
【図１】
0003105179.tif 000003
【図２】
0003105179.tif 000004
【図３】
0003105179.tif 000005
【図４】
0003105179.tif 000006
【手続補正書】
【提出日】平成16年6月4日(2004.6.4)
【手続補正１】
【補正対象書類名】実用新案登録請求の範囲
【補正対象項目名】全文
【補正方法】変更
【補正の内容】
【実用新案登録請求の範囲】
【請求項１】
災害発生時、ハンカチで口を押さえていると、両手が使えず避難しにくいため、ハンカチをマスク大に折り畳んで、折り畳んだハンカチがマスクとして耳に掛けることができる位置に、二本のゴム紐を取り付け、通常はそのコム紐が邪魔にならないように、ゴム紐の取り付け部分の小袋に収納しておく、マスク代用のハンカチ
(57)【要約】      （修正有）【課題】本考案はラジオコントロールカーの車体の捩じれをタイヤを外すことなく、容易に、かつ確実に矯正する。【解決手段】本考案は車体のタイヤが浮く厚みを持たせた車体矯正装置本体１に、ワッシャー４で高さを調整しビス５とナット６で固定した４箇所の半回転式車体押さえ板３で、矯正する車体２を密着、固定して車体各部のネジを締めなおす事により、タイヤを外すことなく容易かつ確実に車体を矯正することができる。【選択図】図２
0003105175.tif 000002
【実用新案登録請求の範囲】
【考案の詳細な説明】
【技術分野】
【０００１】  本考案はラジオコントロールカーの車体下面に取り付けて使う、車体の矯正装置に関するものである。
【背景技術】
【０００２】  ラジオコントロールカーの走行中、他の車やコースの仕切り板等への衝突で車体が捩じれてしまい、走行性が悪化してしまう事がある。その捩じれを矯正するためにはタイヤを四輪外し、大きな平板に車体を載せ、各部のビスを一度緩め、手で車体を平板に密着させながらビスを締めなおすとゆう作業が必要だった。
【考案の開示】
【考案が解決しようとする課題】
【０００３】捩じれた車体を矯正する際、タイヤを四輪外すのは時間がかかり面倒である。さらに、車体を平板に押し当てる時も、一人では車体の前、後部を押さえ、同時にビスを締めなおすのは難しいとゆう問題があった。
【課題を解決するための手段】
【０００４】本考案は、捩じれを強制するための平板を、タイヤが地面に付かないだけの厚み、車体下面のみに接する寸法にしてタイヤを浮かせ、かつ車体の前、後部の左右、計四箇所を平板上面に設置した半回転式の押さえ板で固定することにより、確実に車体と平板を密着させる事ができるようにして問題点を解決している。
【考案の効果】
【０００５】上記の様に、本考案の車体矯正装置は、車体下面をのみに平板を当て、かつ固定、密着させることにより、タイヤを外す事無く、正確に矯正する事ができる。車体を保管する際にも本装置を装着してタイヤを浮かせておく事により車体にかかる力を無くし、保管中に車体が捩じれる事を防ぐ、また、タイヤも接地した部分だけが変形する事がなくなり、車体の性能を長期に保つ事ができ、より容易に車の性能を楽しむ事ができる。
【考案を実施するための最良の形態】
【０００６】矯正装置本体となる平板の寸法を車体の下面よりも左右方向に大きめにして、車体を載せた時に平板が車体の前後部の幅よりも広くなるようにする。その広くした部分にシーソー状の半回転式の車体押さえ板を前後２箇所づつビスとナットで取り付ける。車体押さえ板は車体下部を構成する板または部品を左右方向から挟み込みつつ平板と車体を密着させ、結果４箇所で固定する。４箇所の押さえ板は車体を載せて左右に開く事により車体を固定し、閉じる事により開放する。また押さえ板は固定部の高さを車体側に合わせてワッシャーの厚みで調整することができる。
【実施例】
【０００７】以下、添付図面に従って一実施例を説明する。１はプラスチック、アルミニウム等、精密に平面な素材製の矯正装置本体に、２の車体が捩じれ、矯正が必要なラジオコントロールカー車体を、を載せる。４のワッシャーで車体側固定部の高さに合わせ５のビスと６のナットで本体に固定した３の半回転式車体押さえ板４箇所を外側に開く事により車体と本体を密着、固定する。この状態で車体各部のネジを締めなおす事で車体は矯正される。【０００８】矯正の終わった２の車体を３の半回転式車体押さえ板４箇所を閉じる事により、１の矯正装置本体から開放する。【０００９】１０１０
本考案の一実施例は上述の如き構成からなるものであるから、タイヤを外すことなく容易に、かつ確実に車体の矯正を行うことができる。
【図面の簡単な説明】
【図１】矯正するラジオコントロールカーの車体と本矯正装置の斜視図である。
【図２】車体を矯正装置に固定した正面図である。
【符号の説明】
１    車体矯正装置本体
２    ラジオコントロールカー車体
３    半回転式車体押さえ板
４    ワッシャー
５    ビス
６    ナット
【図１】
0003105175.tif 000003
【図２】
0003105175.tif 000004
【手続補正書】
【提出日】平成16年6月1日(2004.6.1)
【手続補正２】
【補正対象書類名】実用新案登録請求の範囲
【補正対象項目名】全文
【補正方法】追加
【補正の内容】
【実用新案登録請求の範囲】
【請求項１】
・車体下部にのみ接する平板と、車体を平板に固定する４箇所の押さえ板を備えたことを特徴とするラジオコントロールカーの車体矯正装置。
(57)【要約】      （修正有）【課題】従来、新聞紙を止める場合、新聞紙の右端をホッチキス針で止める方法が多く使われていた。ホッチキス針で止めた場合、新聞紙をリサイクルする際に邪魔になると思われる。また、その都度ホッチキス針を消費するという問題点を有していた。本考案は、容易に新聞紙を止めることが出来、かつ繰り返し使用することが出来るようにしようとするものである。【解決手段】（１）外径が１．２ｍｍのステンレス製の針金を略コの字に折り曲げ、折り曲げた部分より５ｍｍのところから２本の針金が平行になるようにする。（２）２本のうち１本は若干短くし、短い方の先端を水平よりも２０度上向きにすることにより新聞紙に差し込み易くしてある。（３）２本の平行な針金の透き間は０．１ｍｍあり略コの字に折り曲げた部分の厚さを３．５ｍｍ確保することにより４０ページの全国紙に差し込むことが出来る。以上の構成からなる新聞紙止め。【選択図】図１
0003105171.tif 000002
【実用新案登録請求の範囲】
【請求項１】
ステンレス製の針金を用いた差し込み式の新聞紙止め
【考案の詳細な説明】
【考案の詳細な説明】
【産業上の利用分野】
【０００１】  本考案は、新聞を読む際にページをめくる度に新聞紙が乱雑になることを防ぐための、新聞紙止めに関するものである。
【背景技術】
【０００２】  従来、新聞紙を止める場合、新聞紙の右端をホッチキス針で止める方法が多く使われていた。
【考案が解決しようとする課題】
【０００３】  ホッチキス針で止めた場合、新聞紙をリサイクルする際に邪魔になると思われる。また、その都度ホッチキス針を消費するという問題点を有していた。
【課題を解決するための手段】
【０００４】  本考案は、容易に新聞紙を止めることが出来、かつ繰り返し使用することが出来るようにしようとするものである。
【作用】
【０００５】  上記目的を達成するために、ステンレス製の針金を用いた新聞紙止めで新聞紙の上端と下端を押え込むものである。
【実施例】
【０００６】  考案の実施例について図面を参照して説明する。図１は本考案の形を表わしたものである。図２は使用する状態を表わしたもので、新聞紙の厚さに拘らず任意の厚さで新聞紙の上端と下端を止めるようにしたものである。
【考案の効果】
【０００７】  新聞紙のページめくりスムーズであり、紙面が乱雑になることを防ぐことが出来る。また、容易に取り外し出来るため繰り返し使用することが出来る。
【図面の簡単な説明】
【図１】  形状を表わしたもので、２本の棒のうち１本は若干短くし先端を水平よりも２０度上向きにすることにより、差し込み易くしてある。  ２本の長い棒の透き間は０．１ｍｍあり４０ページの全国紙を押え込むことが出来る。
【図２】  新聞紙の上端を止めた状態を表わしたもので、下端も同様に止めることが出来る。
【図１】
0003105171.tif 000003
【図２】
0003105171.tif 000004
【手続補正書】
【提出日】平成16年2月7日(2004.2.7)
【手続補正１】
【補正対象書類名】実用新案登録請求の範囲
【補正対象項目名】全文
【補正方法】変更
【補正の内容】
【実用新案登録請求の範囲】
【請求項１】
ステンレス製の針金を用いた差し込み式の新聞紙止め外径が１．２ｍｍのステンレス製の針金を略コの字に折り曲げ、折り曲げた部分より５ｍｍのところから２本の針金が平行になるようにする。
２本のうち１本は若干短くし、先端を水平よりも２０度上向きにすることにより新聞紙に差し込み易くしてある。
２本の長い棒の透き間は０．１ｍｍあり折り曲げた部分の厚さを３．５ｍｍ確保することにより４０ページの全国紙を押え込むことが出来る。
【手続補正書】
【提出日】平成16年6月7日(2004.6.7)
【手続補正１】
【補正対象書類名】実用新案登録請求の範囲
【補正対象項目名】全文
【補正方法】変更
【補正の内容】
【実用新案登録請求の範囲】
【請求項１】
「本考案において、
（１）外径が１．２ｍｍのステンレス製の針金を略コの字に折り曲げ、折り曲げた部分より５ｍｍのところから２本の針金が平行になるようにする。
（２）２本のうち１本は若干短くし、短い方の先端を水平よりも２０度上向きにすることにより新聞紙に差し込み易くしてある。
（３）２本の平行な針金の透き間は０．１ｍｍあり略コの字に折り曲げた部分の厚さを３．５ｍｍ確保することにより４０ページの全国紙に差し込むことが出来る。
以上の構成からなる新聞紙止め。」